(57)【要約】【課題】  導入及び操作が容易であり、比較的小規模な店舗等であってもその取り扱う商品に対応する棚札の表示状態を一元的に管理することが可能な商品管理システムを提供する。【解決手段】  商品Ｐの陳列位置に配置される棚札Ｄと、棚札Ｄにおける表示内容を変更するための携帯型リーダ／ライタＲＷと、を含み、棚札Ｄは、電子ペーパを用いた表示部と、ＩＣタグと、変更情報に基づいて商品情報を変更し、電力信号及び商品情報に基づいて棚札Ｄとしての表示状態を制御する制御部と、無線通信を介してリーダ／ライタＲＷからの変更情報及び電力信号を受信し、当該受信した変更情報を前記変更手段に出力すると共に、当該受信した電力信号を前記制御手段に出力する受信部と、を備え、リーダ／ライタＲＷは、変更すべき表示状態に基づいて変更情報を生成し、棚札Ｄを駆動するための電力信号を生成し、これらを棚札Ｄに伝送する。【選択図】  図１
2006340863.tif 000002
【特許請求の範囲】
【請求項１】
商品の陳列位置に配置される表示装置と、前記表示装置における表示内容を変更するための携帯型の情報処理装置と、を含んで構成される商品管理システムであって、
前記表示装置は、
無電力で表示状態を保持する表示媒体を含み、当該表示装置が配置される前記陳列位置に陳列される前記商品に対応する商品情報を前記表示媒体を用いて表示する表示手段と、
前記表示装置を他の前記表示装置から識別するための表示装置識別情報を少なくとも記憶する不揮発性の記憶手段と、
電力信号と、前記表示状態を変更するための変更情報と、に基づいて当該表示状態を変更制御する制御手段と、
無線通信を介して前記情報処理装置からの前記変更情報及び前記電力信号を受信し、当該受信した変更情報及び電力信号を前記制御手段に出力する受信手段と、
を備え、
前記情報処理装置は、
変更すべき前記表示状態に基づいて前記変更情報を生成する変更情報生成手段と、
前記制御手段を駆動するための前記電力信号を生成する電力信号生成手段と、
前記表示状態を変更すべき前記表示装置に対応する前記表示装置識別情報に基づいて、前記夫々生成された電力信号及び変更情報を当該表示装置に伝送する伝送手段と、
を備えることを特徴とする商品管理システム。
【請求項２】
請求項１に記載の商品管理システムにおいて、
前記情報処理装置は、
前記記憶手段から前記表示装置識別情報を読み出す識別情報読出手段と、
前記表示状態の変更前において、前記読み出した表示装置識別情報と、前記変更情報に含まれ且つ前記表示状態を変更すべき前記表示装置を示す表示装置識別情報と、を比較する比較手段と、
前記表示状態の変更前において、前記読み出した表示装置識別情報と、前記表示状態を変更すべき前記表示装置を示す表示装置識別情報と、が異なるとき、当該異なる旨を告知する比較結果告知手段と、
を更に備えることを特徴とする商品管理システム。
【請求項３】
請求項１に記載の商品管理システムにおいて、
当該商品管理システムは、
変更すべき前記表示状態を示す状態指示情報を生成する指示情報生成手段と、
前記生成された状態指示情報を前記情報処理装置に伝送する指示情報伝送手段と、
を備えるサーバ装置を更に備えると共に、
前記情報処理装置は、
前記伝送された状態指示情報を受信する指示情報受信手段を更に備え、
前記変更情報生成手段は、前記受信された状態指示情報に基づいて前記変更情報を生成することを特徴とする商品管理システム。
【請求項４】
請求項３に記載の商品管理システムにおいて、
前記状態指示情報には、前記表示状態を変更すべき前記表示装置の店舗内における所在位置を示す所在位置情報が含まれていると共に、
前記情報処理装置は、前記伝送された状態指示情報内に含まれている前記所在位置情報に基づいて、前記所在位置を示す所在位置画像を表示する所在位置画像表示手段を更に備えることを特徴とする商品管理システム。
【請求項５】
請求項３又は４に記載の商品管理システムにおいて、
前記情報処理装置は、
前記記憶手段から前記表示装置識別情報を読み出す識別情報読出手段と、
前記表示状態の変更前において、前記読み出した表示装置識別情報を前記サーバ装置に伝送する識別情報伝送手段と、
前記サーバ装置から伝送されて来る修正指示情報を告知する修正指示情報告知手段と、
を更に備え、
前記サーバ装置は、
前記伝送されて来た表示装置識別情報と、前記表示状態を変更すべき前記表示装置を示す前記表示装置識別情報と、を比較する比較手段と、
前記表示状態の変更前において、前記伝送されて来た表示装置識別情報と、当該表示状態を変更すべき前記表示装置を示す前記表示装置識別情報と、が異なるとき、当該異なる旨を示すと共に当該表示状態を変更すべき前記表示装置を示す前記表示装置識別情報を含む前記修正指示情報を前記修正指示情報告知手段に伝送する修正指示情報伝送手段と、
を更に備えることを特徴とする商品管理システム。
【請求項６】
請求項１から５のいずれか一項に記載の商品管理システムにおいて、
前記情報処理装置は、変更すべき前記表示状態における変更前後の当該表示状態の夫々を、相互に比較可能に告知する変更状態告知手段を更に備えることを特徴とする商品管理システム。
【請求項７】
請求項６に記載の商品管理システムにおいて、
前記変更状態告知手段は、前記情報処理装置内の前記送信手段による前記電力信号及び変更情報の前記表示装置への送信前に各前記表示状態を表示する変更状態表示手段であることを特徴とする商品管理システム。
【請求項８】
請求項１から７のいずれか一項に記載の商品管理システムにおいて、
前記表示装置内の前記受信手段及び前記情報処理装置内の前記送信手段は、前記電力信号及び前記変更情報を同一周波数帯域の電磁波を用いて送受信することを特徴とする商品管理システム。
【請求項９】
請求項１から７のいずれか一項に記載の商品管理システムにおいて、
前記表示装置内の前記受信手段及び前記情報処理装置内の前記送信手段は、前記電力信号及び前記変更情報を相互に異なる周波数帯域の電磁波を用いて送受信することを特徴とする商品管理システム。
【請求項１０】
請求項１から９のいずれか一項に記載の商品管理システムにおいて、
前記表示装置は、前記表示状態の変更に当たって当該変更前の前記商品情報を必要とする表示装置であると共に、
前記表示装置内の前記記憶手段は、変更前の前記表示状態に対応する前記商品情報を更に記憶することを特徴とする商品管理システム。
【請求項１１】
請求項１から１０のいずれか一項に記載の商品管理システムにおいて、
前記商品情報には、当該商品を他の前記商品から識別するための商品識別情報が含まれていることを特徴とする商品管理システム。
【請求項１２】
請求項１１に記載の商品管理システムにおいて、
前記表示装置内の前記制御手段は、前記含まれている商品識別情報に基づいて、当該商品識別情報により識別される前記商品を示すバーコードを前記表示手段に表示することを特徴とする商品管理システム。
【請求項１３】
商品の陳列位置に配置される表示装置であって、無電力で表示状態を保持する表示媒体を含み且つ当該表示装置が配置される前記陳列位置に陳列される前記商品に対応する商品情報を前記表示媒体を用いて表示する表示手段と、当該表示装置を他の前記表示装置から識別するための表示装置識別情報を少なくとも記憶する不揮発性の記憶手段と、を備える表示装置と、当該表示装置における表示内容を変更するための携帯型の情報処理装置と、を含んで構成される商品管理システムにおける前記表示装置及び前記情報処理装置の動作を夫々制御する制御プログラムであって、
前記表示装置に含まれる表示装置コンピュータを、
電力信号と、前記表示状態を変更するための変更情報と、に基づいて当該表示状態を変更制御する制御手段、及び、
無線通信を介して前記情報処理装置からの前記変更情報及び前記電力信号を受信し、当該受信した変更情報及び電力信号を前記制御手段として機能する前記表示装置コンピュータに出力する受信手段、
として機能させる表示装置プログラムと、
前記情報処理装置に含まれる処理コンピュータを、
変更すべき前記表示状態に基づいて前記変更情報を生成する変更情報生成手段、
前記制御手段として機能する前記表示装置コンピュータを駆動するための前記電力信号を生成する電力信号生成手段、及び、
前記表示状態を変更すべき前記表示装置に対応する前記表示装置識別情報に基づいて、前記夫々生成された電力信号及び変更情報を前記表示装置コンピュータに伝送する伝送手段、
として機能させる処理プログラムと、
を含むことを特徴とする制御プログラム。
【請求項１４】
請求項１３に記載の表示装置プログラム及び前記処理プログラムが、夫々前記表示装置コンピュータ及び前記処理コンピュータで読取可能に記録されていることを特徴とする情報記録媒体。
【発明の詳細な説明】
【技術分野】
【０００１】
本発明は、商品管理システム及び制御プログラム並びに情報記録媒体の技術分野に属し、より詳細には、商品陳列棚を複数備える例えば店舗内における当該商品の価格表示等を管理するための商品管理システム及び当該商品管理システム用の制御プログラム並びに当該制御プログラムが記録された情報記録媒体の技術分野に属する。
【背景技術】
【０００２】
近年の食料品店等の店舗においては、取り扱われるべき商品の数及び種類が飛躍的に多くなりつつあるが、その一方で、例えば特売品としての価格変更等、各商品の価格が頻繁（場合によっては一日のうちに何度も）に変更されているのが現状である。
【０００３】
そこで、これら商品の価格表示を管理する手法として、従来、例えば下記特許文献１乃至３に記載の方法があった。
【０００４】
しかしながら、これらの手法は、いずれも、無線通信を介して各棚札の内容を自動的に書き換えることが前提とされている。
【０００５】
【特許文献１】特開２００２−１３３５１９号公報
【特許文献２】特開２００３−２７６８１０号公報
【特許文献３】特開２００４−０３５１４３号公報
【発明の開示】
【発明が解決しようとする課題】
【０００６】
しかしながら、上述した従来の各手法では、当該棚札の表示内容を書き換えるためには、多数ある棚札自体との間で無線通信を確立した上で書き換えのための情報を授受する必要があり、このため高出力の送受信装置を、例えば店舗の天井部に埋め込む等、恒常的に備え付ける必要があった。
【０００７】
従って、このような従来の場合、当該送受信装置を恒常的に備える構成となっていたため、その備え付けにも大規模な工事が必要となるという問題点があり、また、借り上げ店舗等の場合はその天井等に穴を開けることが通常は不可能であるため、上述したような手法自体を用いることが不可能であるという問題点もあった。
【０００８】
更にこれらの問題点は、店舗の改装時や当該従来の商品管理システム自体の更新等の場合にも、費用的及び労力的に多大の負担が係ることにも繋がり、結果として、それほど規模の大きくない店舗では上述した如き従来の商品管理システムを導入することができないという問題点があった。
【０００９】
そこで、本発明は上記の各問題点に鑑みて為されたもので、その課題は、導入及び操作が容易であり、比較的小規模な店舗等であってもその取り扱う商品に対応する棚札の表示状態を一元的に管理することが可能な商品管理システム及び当該商品管理システム用の制御プログラム並びに当該制御プログラムが記録された情報記録媒体を提供することにある。
【課題を解決するための手段】
【００１０】
上記の課題を解決するために、請求項１に記載の発明は、商品の陳列位置に配置される棚札等の表示装置と、前記表示装置における表示内容を変更するための携帯型のリーダ／ライタ等の情報処理装置と、を含んで構成される商品管理システムであって、前記表示装置は、無電力で表示状態を保持する表示媒体を含み、当該表示装置が配置される前記陳列位置に陳列される前記商品に対応する商品情報を前記表示媒体を用いて表示する表示部等の表示手段と、前記表示装置を他の前記表示装置から識別するための表示装置識別情報を少なくとも記憶する不揮発性の記憶手段と、電力信号と、前記表示状態を変更するための変更情報と、に基づいて当該表示状態を変更制御する制御手段と、無線通信を介して前記情報処理装置からの前記変更情報及び前記電力信号を受信し、当該受信した変更情報及び電力信号を前記制御手段に出力する通信部等の受信手段と、を備え、前記情報処理装置は、変更すべき前記表示状態に基づいて前記変更情報を生成するＣＰＵ等の変更情報生成手段と、前記制御手段を駆動するための前記電力信号を生成するＣＰＵ等の電力信号生成手段と、前記表示状態を変更すべき前記表示装置に対応する前記表示装置識別情報に基づいて、前記夫々生成された電力信号及び変更情報を当該表示装置に伝送するＩＣタグ通信部等の伝送手段と、を備える。
【００１１】
よって、携帯型の情報処理装置を用いて表示手段上の表示状態を変更するので、各表示手段の表示を変更するための恒常的な無線システムを構築する必要がなく、各商品の陳列位置に設けられた表示装置における表示内容を簡易且つ安価なシステムで書き換えることができる。
【００１２】
また、無電力で表示状態を保持する表示媒体を用いた表示手段により各商品に対応する商品情報を表示するので、商品管理システム自体としての運用費用を大幅に削減することができる。
【００１３】
上記の課題を解決するために、請求項２に記載の発明は、請求項１に記載の商品管理システムにおいて、前記情報処理装置は、前記記憶手段から前記表示装置識別情報を読み出すＣＰＵ等の識別情報読出手段と、前記表示状態の変更前において、前記読み出した表示装置識別情報と、前記変更情報に含まれ且つ前記表示状態を変更すべき前記表示装置を示す表示装置識別情報と、を比較するＣＰＵ等の比較手段と、前記表示状態の変更前において、前記読み出した表示装置識別情報と、前記表示状態を変更すべき前記表示装置を示す表示装置識別情報と、が異なるとき、当該異なる旨を告知するＣＰＵ等の比較結果告知手段と、を更に備える。
【００１４】
よって、情報処理装置において読み取られた表示装置識別情報と表示状態の変更対象とされている表示装置を示す表示装置識別情報とが異なっているとき、当該異なる旨が情報処理装置において告知されるので、当該情報処理装置を携帯する使用者は正しい表示装置の位置まで移動してその表示状態を変更することができる。
【００１５】
上記の課題を解決するために、請求項３に記載の発明は、請求項１に記載の商品管理システムにおいて、当該商品管理システムは、変更すべき前記表示状態を示す状態指示情報を生成する管理端末等の指示情報生成手段と、前記生成された状態指示情報を前記情報処理装置に伝送するアクセスポイント等の指示情報伝送手段と、を備えるサーバ装置を更に備えると共に、前記情報処理装置は、前記伝送された状態指示情報を受信する無線通信部等の指示情報受信手段を更に備え、前記変更情報生成手段は、前記受信された状態指示情報に基づいて前記変更情報を生成するように構成される。
【００１６】
よって、サーバ装置からの状態指示情報を用いて変更情報を生成し、更に当該変更情報を用いて表示装置における表示状態を変更するので、各商品に対応する表示装置の表示状態をサーバ装置において一元的に管理することができる。
【００１７】
上記の課題を解決するために、請求項４に記載の発明は、請求項３に記載の商品管理システムにおいて、前記状態指示情報には、前記表示状態を変更すべき前記表示装置の店舗内における所在位置を示す所在位置情報が含まれていると共に、前記情報処理装置は、前記伝送された状態指示情報内に含まれている前記所在位置情報に基づいて、前記所在位置を示す所在位置画像を表示するディスプレイ等の所在位置画像表示手段を更に備える。
【００１８】
よって、表示状態を変更すべき表示装置の店舗内における所在位置が携帯している情報処理装置上に表示されるので、当該情報処理装置の使用者において迷うことなく表示状態の変更が必要な表示装置まで到達することができる。
【００１９】
上記の課題を解決するために、請求項５に記載の発明は、請求項３又は４に記載の商品管理システムにおいて、前記情報処理装置は、前記記憶手段から前記表示装置識別情報を読み出すＣＰＵ等の識別情報読出手段と、前記表示状態の変更前において、前記読み出した表示装置識別情報を前記サーバ装置に伝送する無線通信部等の識別情報伝送手段と、前記サーバ装置から伝送されて来る修正指示情報を告知するディスプレイ等の修正指示情報告知手段と、を更に備え、前記サーバ装置は、前記伝送されて来た表示装置識別情報と、前記表示状態を変更すべき前記表示装置を示す前記表示装置識別情報と、を比較する管理端末等の比較手段と、前記表示状態の変更前において、前記伝送されて来た表示装置識別情報と、当該表示状態を変更すべき前記表示装置を示す前記表示装置識別情報と、が異なるとき、当該異なる旨を示すと共に当該表示状態を変更すべき前記表示装置を示す前記表示装置識別情報を含む前記修正指示情報を前記修正指示情報告知手段に伝送するアクセスポイント等の修正指示情報伝送手段と、を更に備える。
【００２０】
よって、情報処理装置において読み取られた表示装置識別情報とサーバ装置において表示状態の変更対象とされている表示装置を示す表示装置識別情報とが異なっているとき、当該異なる旨を示し且つ当該表示状態を変更すべき表示装置を示す表示装置識別情報を含む修正指示情報が情報処理装置において告知されるので、当該情報処理装置を携帯する使用者は正しい表示装置の位置まで移動してその表示状態を変更することができる。
【００２１】
上記の課題を解決するために、請求項６に記載の発明は、請求項１から５のいずれか一項に記載の商品管理システムにおいて、前記情報処理装置は、変更すべき前記表示状態における変更前後の当該表示状態の夫々を、相互に比較可能に告知する変更状態告知手段を更に備える。
【００２２】
よって、変更すべき表示状態における変更前後の当該表示状態の夫々が、相互に比較可能に情報処理装置上において告知されるので、当該情報処理装置を携帯する使用者において変更の前後の状態を確認しつつ正しく表示状態を変更させることができる。
【００２３】
上記の課題を解決するために、請求項７に記載の発明は、請求項６に記載の商品管理システムにおいて、前記変更状態告知手段は、前記情報処理装置内の前記送信手段による前記電力信号及び変更情報の前記表示装置への送信前に各前記表示状態を表示する変更状態表示手段であるように構成される。
【００２４】
よって、実際に表示状態が変更される前に変更前後の表示状態が情報処理装置上において表示されるので、確実に表示状態の変更を確認した後に実際の変更処理を行わせることができる。
【００２５】
上記の課題を解決するために、請求項８に記載の発明は、請求項１から７のいずれか一項に記載の商品管理システムにおいて、前記表示装置内の前記受信手段及び前記情報処理装置内の前記送信手段は、前記電力信号及び前記変更情報を同一周波数帯域の電磁波を用いて送受信するように構成される。
【００２６】
よって、同一周波数帯域の電磁波を用いて電力信号及び変更情報が送受信されるので、表示装置及び情報処理装置夫々における当該送受信に係る構成を簡略化することができる。
【００２７】
上記の課題を解決するために、請求項９に記載の発明は、請求項１から７のいずれか一項に記載の商品管理システムにおいて、前記表示装置内の前記受信手段及び前記情報処理装置内の前記送信手段は、前記電力信号及び前記変更情報を相互に異なる周波数帯域の電磁波を用いて送受信するように構成される。
【００２８】
よって、異なる周波数帯域の電磁波を用いて電力信号及び変更情報が送受信されるので、混信等の影響を考慮する必要がなく確実に当該電力信号及び変更情報を送受信することができる。
【００２９】
上記の課題を解決するために、請求項１０に記載の発明は、請求項１から９のいずれか一項に記載の商品管理システムにおいて、前記表示装置は、前記表示状態の変更に当たって当該変更前の前記商品情報を必要とする表示装置であると共に、前記表示装置内の前記記憶手段は、変更前の前記表示状態に対応する前記商品情報を更に記憶する。
【００３０】
よって、記憶手段内に変更前の表示状態に対応する商品情報が記憶されているので、表示装置自体が、表示状態の変更に当たって当該変更前の商品情報を必要とする表示装置であっても、機能的に問題なく当該表示状態を変更することができる。
【００３１】
上記の課題を解決するために、請求項１１に記載の発明は、請求項１から１０のいずれか一項に記載の商品管理システムにおいて、前記商品情報には、当該商品を他の前記商品から識別するための商品識別情報が含まれている。
【００３２】
よって、商品情報内に商品識別情報が含まれているので、各表示装置においてそれが対応している商品を明示しつつ商品情報を表示することができる。
【００３３】
上記の課題を解決するために、請求項１２に記載の発明は、請求項１１に記載の商品管理システムにおいて、前記表示装置内の前記制御手段は、前記含まれている商品識別情報に基づいて、当該商品識別情報により識別される前記商品を示すバーコードを前記表示手段に表示するように構成される。
【００３４】
よって、表示装置上にその表示装置が対応している商品を示すバーコードが表示されるので、それを簡易に読み取って他の種々の処理に活用することができる。
【００３５】
上記の課題を解決するために、請求項１３に記載の発明は、商品の陳列位置に配置される棚札等の表示装置であって、無電力で表示状態を保持する表示媒体を含み且つ当該表示装置が配置される前記陳列位置に陳列される前記商品に対応する商品情報を前記表示媒体を用いて表示する表示部等の表示手段と、当該表示装置を他の前記表示装置から識別するための表示装置識別情報を少なくとも記憶する不揮発性のＩＣタグチップ等の記憶手段と、を備える表示装置と、当該表示装置における表示内容を変更するための携帯型の情報処理装置と、を含んで構成される商品管理システムにおける前記表示装置及び前記情報処理装置の動作を夫々制御する制御プログラムであって、前記表示装置に含まれる表示装置コンピュータを、電力信号と、前記表示状態を変更するための変更情報と、に基づいて当該表示状態を変更制御する制御手段、及び、無線通信を介して前記情報処理装置からの前記変更情報及び前記電力信号を受信し、当該受信した変更情報及び電力信号を前記制御手段として機能する前記表示装置コンピュータに出力する受信手段、として機能させる表示装置プログラムと、前記情報処理装置に含まれる処理コンピュータを、変更すべき前記表示状態に基づいて前記変更情報を生成する変更情報生成手段、前記制御手段として機能する前記表示装置コンピュータを駆動するための前記電力信号を生成する電力信号生成手段、及び、前記表示状態を変更すべき前記表示装置に対応する前記表示装置識別情報に基づいて、前記夫々生成された電力信号及び変更情報を前記表示装置コンピュータに伝送する伝送手段、として機能させる処理プログラムと、を含むように構成される。
【００３６】
よって、携帯型の情報処理装置を用いて表示手段上の表示状態を変更することができるので、各表示手段の表示を変更するための恒常的な無線システムを構築する必要がなく、各商品の陳列位置に設けられた表示装置における表示内容を簡易且つ安価なシステムで書き換えることができる。
【００３７】
また、無電力で表示状態を保持する表示媒体を用いた表示手段により各商品に対応する商品情報を表示するように各コンピュータが機能するので、商品管理システム自体としての運用費用を大幅に削減することができる。
【００３８】
上記の課題を解決するために、請求項１４に記載の発明は、請求項１３に記載の表示装置プログラム及び前記処理プログラムが、夫々前記表示装置コンピュータ及び前記処理コンピュータで読取可能に記録されている。
【００３９】
よって、当該各プログラムを夫々のコンピュータで読み出して実行することにより、携帯型の情報処理装置を用いて表示手段上の表示状態を変更することができるので、各表示手段の表示を変更するための恒常的な無線システムを構築する必要がなく、各商品の陳列位置に設けられた表示装置における表示内容を簡易且つ安価なシステムで書き換えることができる。
【００４０】
また、無電力で表示状態を保持する表示媒体を用いた表示手段により各商品に対応する商品情報を表示するように各コンピュータが機能するので、商品管理システム自体としての運用費用を大幅に削減することができる。
【発明の効果】
【００４１】
請求項１に記載の発明によれば、携帯型の情報処理装置を用いて表示手段上の表示状態を変更するので、各表示手段の表示を変更するための恒常的な無線システムを構築する必要がなく、各商品の陳列位置に設けられた表示装置における表示内容を簡易且つ安価なシステムで書き換えることができる。
【００４２】
また、無電力で表示状態を保持する表示媒体を用いた表示手段により各商品に対応する商品情報を表示するので、商品管理システム自体としての運用費用を大幅に削減することができる。
【００４３】
従って、商品陳列位置に配置されている表示装置における対応商品の表示内容を管理する商品管理システムを、容易且つ安価に導入することができ、比較的小規模な店舗等であってもその取り扱う商品に対応する棚札の表示状態を簡易に管理することができる。
【００４４】
請求項２に記載の発明によれば、請求項１に記載の発明の効果に加えて、情報処理装置において読み取られた表示装置識別情報と表示状態の変更対象とされている表示装置を示す表示装置識別情報とが異なっているとき、当該異なる旨が情報処理装置において告知されるので、当該情報処理装置を携帯する使用者は正しい表示装置の位置まで移動してその表示状態を変更することができる。
【００４５】
請求項３に記載の発明によれば、請求項１に記載の発明の効果に加えて、サーバ装置からの状態指示情報を用いて変更情報を生成し、更に当該変更情報を用いて表示装置における表示状態を変更するので、各商品に対応する表示装置の表示状態をサーバ装置において一元的に管理することができる。
【００４６】
請求項４に記載の発明によれば、請求項３に記載の発明の効果に加えて表示状態を変更すべき表示装置の店舗内における所在位置が携帯している情報処理装置上に表示されるので、当該情報処理装置の使用者において迷うことなく表示状態の変更が必要な表示装置まで到達することができる。
【００４７】
請求項５に記載の発明によれば、請求項３又は４に記載の発明の効果に加えて、情報処理装置において読み取られた表示装置識別情報とサーバ装置において表示状態の変更対象とされている表示装置を示す表示装置識別情報とが異なっているとき、当該異なる旨を示し且つ当該表示状態を変更すべき表示装置を示す表示装置識別情報を含む修正指示情報が情報処理装置において告知されるので、当該情報処理装置を携帯する使用者は正しい表示装置の位置まで移動してその表示状態を変更することができる。
【００４８】
請求項６に記載の発明によれば、請求項１から５のいずれか一項に記載の発明の効果に加えて、変更すべき表示状態における変更前後の当該表示状態の夫々が、相互に比較可能に情報処理装置上において告知されるので、当該情報処理装置を携帯する使用者において変更の前後の状態を確認しつつ正しく表示状態を変更させることができる。
【００４９】
請求項７に記載の発明によれば、請求項６に記載の発明の効果に加えて、実際に表示状態が変更される前に変更前後の表示状態が情報処理装置上において表示されるので、確実に表示状態の変更を確認した後に実際の変更処理を行わせることができる。
【００５０】
請求項８に記載の発明によれば、請求項１から７のいずれか一項に記載の発明の効果に加えて、同一周波数帯域の電磁波を用いて電力信号及び変更情報が送受信されるので、表示装置及び情報処理装置夫々における当該送受信に係る構成を簡略化することができる。
【００５１】
請求項９に記載の発明によれば、請求項１から７のいずれか一項に記載の発明の効果に加えて、異なる周波数帯域の電磁波を用いて電力信号及び変更情報が送受信されるので、混信等の影響を考慮する必要がなく確実に当該電力信号及び変更情報を送受信することができる。
【００５２】
請求項１０に記載の発明によれば、請求項１から９のいずれか一項に記載の発明の効果に加えて、記憶手段内に変更前の表示状態に対応する商品情報が記憶されているので、表示装置自体が、表示状態の変更に当たって当該変更前の商品情報を必要とする表示装置であっても、変更情報に改めて当該変更前の商品情報を含めること無く、当該変更情報を簡素化（単純化）しつつ当該表示状態を変更することができる。また、不具合（例えば、表示媒体の経時劣化）等により当該商品情報を改めて表示（再表示）する際、情報処理装置から電力と再表示の指示信号により商品管理システムを介することなく再表示することができる。
【００５３】
請求項１１に記載の発明によれば、請求項１から１０のいずれか一項に記載の発明の効果に加えて、商品情報内に商品識別情報が含まれているので、各表示装置においてそれが対応している商品を明示しつつ商品情報を表示することができる。
【００５４】
請求項１２に記載の発明によれば、請求項１１に記載の発明の効果に加えて、表示装置上にその表示装置が対応している商品を示すバーコードが表示されるので、それを簡易に読み取って他の種々の処理に活用することができる。
【００５５】
請求項１３に記載の発明によれば、携帯型の情報処理装置を用いて表示手段上の表示状態を変更することができるので、各表示手段の表示を変更するための恒常的な無線システムを構築する必要がなく、各商品の陳列位置に設けられた表示装置における表示内容を簡易且つ安価なシステムで書き換えることができる。
【００５６】
また、無電力で表示状態を保持する表示媒体を用いた表示手段により各商品に対応する商品情報を表示するように各コンピュータが機能するので、商品管理システム自体としての運用費用を大幅に削減することができる。
【００５７】
従って、商品陳列位置に配置されている表示装置における対応商品の表示内容を管理する商品管理システムを、容易且つ安価に導入することができ、比較的小規模な店舗等であってもその取り扱う商品に対応する棚札の表示状態を簡易に管理することができる。
【００５８】
請求項１４に記載の発明によれば、当該各プログラムを夫々のコンピュータで読み出して実行することにより、携帯型の情報処理装置を用いて表示手段上の表示状態を変更することができるので、各表示手段の表示を変更するための恒常的な無線システムを構築する必要がなく、各商品の陳列位置に設けられた表示装置における表示内容を簡易且つ安価なシステムで書き換えることができる。
【００５９】
また、無電力で表示状態を保持する表示媒体を用いた表示手段により各商品に対応する商品情報を表示するように各コンピュータが機能するので、商品管理システム自体としての運用費用を大幅に削減することができる。
【００６０】
従って、商品陳列位置に配置されている表示装置における対応商品の表示内容を管理する商品管理システムを、容易且つ安価に導入することができ、比較的小規模な店舗等であってもその取り扱う商品に対応する棚札の表示状態を簡易に管理することができる。
【発明を実施するための最良の形態】
【００６１】
次に、本発明を実施するための最良の形態について、図面に基づいて説明する。なお、以下に説明する実施形態及び変形形態は、例えばいわゆるコンビニエンスストア等の小規模な店舗における棚札表示管理を行う商品管理システムに対して本発明を適用した場合の実施形態及び変形形態である。
【００６２】
（Ｉ）実施形態
始めに、本発明に係る実施形態について、図１乃至図５を用いて説明する。
【００６３】
なお、図１は実施形態に係る商品管理システムの概要構成を示す図であり、図２は当該商品管理システムに含まれる表示装置としての棚札の構成を示す図であり、図３は当該商品管理システムに含まれる情報処理装置としてのリーダ／ライタの概要構成を示すブロック図であり、図４は実施形態に係る棚札表示の変更処理を示すフローチャートであり、図５は当該変更処理の過程におけるリーダ／ライタ上の表示を例示する図である。
【００６４】
図１に示すように、実施形態に係る商品管理システムＳは、サーバ装置及び指示情報生成手段としての管理端末ＰＯＳと、指示情報伝送手段及び修正指示情報伝送手段としてのアクセスポイントＡＰと、リーダ／ライタＲＷと、棚札Ｄと、により構成されている。
【００６５】
この構成において、棚札Ｄは、商品Ｐが陳列されている陳列棚Ｓの前面に設けられているものであり、当該商品Ｐの現在の価格等を表示する棚札である。そして、当該棚札Ｄは、後述するように、無電力でその表示状態を保持する表示媒体（例えば、メモリ性を有する電気泳動素子、メモリ性を有する電気光学的素子或いはメモリ性を有するエレクトロクロミック素子等のいわゆる電子ペーパ素材）を含む後述の表示部４０を備えており、その表示内容をリーダ／ライタＲＷからの無線通信による制御に基づいて書き換え可能に構成されている。
【００６６】
一方、管理端末ＰＯＳは、いわゆるＰＯＳ（Point Of Sales：販売時点情報管理）端末として構成されているものであり、その店舗で取り扱われるすべての商品の名称、価格、在庫数及び消費期限（食品の場合は賞味期限）等を示す情報を一元的に管理する。これに加えて、実施形態に係る管理端末ＰＯＳは、リーダ／ライタＲＷとの間で、アクセスポイントＡＰを介した無線通信により棚札Ｄにおける表示内容を変更するための変更情報Ｓposを授受する。
【００６７】
次に、アクセスポイントＡＰは、いわゆる無線ＬＡＮ（Local Area Network）等を介してリーダ／ライタＲＷと無線接続されており、上記変更情報Ｓposを当該リーダ／ライタＲＷに伝送する。
【００６８】
そして、リーダ／ライタＲＷは、アクセスポイントＡＰを介して取得した変更情報Ｓposに基づいて、棚札Ｄにおけるディスプレイの表示内容を書き換える処理を行う。このとき、当該リーダ／ライタＲＷは、表示内容を変更すべき棚札Ｄの位置まで使用者（具体的には、その店舗の販売員等）に携行され、その位置で棚札Ｄとの間で無線通信を行って当該表示内容を変更する。
【００６９】
次に、上述した構成部材のうち、棚札Ｄの細部構成について図２を用いて説明する。
【００７０】
図２（ａ）に示すように、実施形態に係る棚札Ｄは、受信手段としての通信部１０と、いわゆるＩＣ（Integrated Circuit）タグを含んで構成されている記憶手段及び制御手段としてのＩＣタグチップ２０と、制御手段としてのドライバ部３０と、表示手段としての表示部４０と、により構成されている。
【００７１】
この構成において、通信部１０は、リーダ／ライタＲＷとの間でＲＦ（Radio Frequency）による無線通信を行い、棚札Ｄとしての表示状態を制御するための情報を授受する。
【００７２】
一方、ＩＣタグチップ２０は、それ自体を示す識別情報（換言すれば、その棚札Ｄが価格等を表示する商品Ｐを他の商品から識別するための識別情報）を記憶しており、必要に応じて当該識別情報を制御情報Ｓifとして通信部１０等へ出力する。これと平行して、ICタグチップ２０は、表示部４０における表示状態を変更するために必要な制御情報Ｓtgを、必要に応じてドライバ部３０へ出力する。
【００７３】
次に、ドライバ部３０は、ＩＣタグチップ２０から出力された上記識別情報を用いて識別された商品Ｐの価格等を書き換える旨の制御情報Ｓifが通信部１０を介してリーダ／ライタＲＷから送信されてきたとき、当該制御情報Ｓifの内容に基づいて表示部４０における表示状態を変更するための表示信号Ｓdpを生成して当該表示部４０に出力する。
【００７４】
そして、上述したように無電力でその表示状態を保持する表示媒体により構成される表示部４０は、上記表示信号Ｓdpによりその表示内容が変更されると、その後は、次に変更されるまで現在の表示状態を維持してその表示内容を表示し続ける。
【００７５】
ここで、当該表示部４０における表示例としては、図２（ｂ）に例示するように、例えば必要に応じて表示される特定情報４３と、対応する商品Ｐの名称を示す名称情報４４と、当該商品Ｐを識別するためのいわゆるバーコード情報４２と、現在のその商品Ｐの価格を示す価格情報４１と、が少なくとも含まれる。
【００７６】
次に、上述した構成部材のうち、リーダ／ライタＲＷの細部構成について図３用いて説明する。
【００７７】
図３に示すように、実施形態に係るリーダ／ライタＲＷは、変更情報生成手段、比較手段、比較結果告知手段、識別情報読出手段及び電力信号生成手段としてのＣＰＵ５０と、指示情報受信手段としての無線通信部６０と、伝送手段としてのＩＣタグ通信部７０と、液晶ディスプレイ等よりなる修正指示情報告知手段としてのディスプレイ１と、複数の操作ボタン又はダイアル等よりなる操作部２と、により構成されている。
【００７８】
この構成において、無線通信部６０は、上記アクセスポイントＡＰとの間で無線通信を行い、上記変更情報Ｓposを含む棚札Ｄの表示内容変更に必要な情報を授受し、これを必要に応じて無線情報ＳlanとしてＣＰＵ５０に出力する。
【００７９】
また、ＩＣタグ通信部７０は、上記棚札Ｄ内の通信部１０との間で上記ＲＦによる無線通信を行い、ＩＣタグチップ２０に記憶されていた上記識別情報を含む当該棚札Ｄの表示内容を変更するために必要な情報を授受し、これを必要に応じてタグ情報ＳicとしてＣＰＵ５０に出力する。
【００８０】
そして、ＣＰＵ５０は、後述する実施形態に係る表示の変更処理を主として行うものであり、操作部２における使用者の操作に応じて当該操作部２から出力されてくる操作信号Ｓopに基づいて当該変更処理を実行する。このとき、当該変更処理に必要な情報は、表示信号Ｓdpとして必要に応じてディスプレイ１に出力されて表示される。
【００８１】
次に、上述した構成を夫々備える棚札Ｄ及びリーダ／ライタＲＷ等を含む実施形態の商品管理システムＳにおいて実行される、実施形態に係る棚札Ｄの表示の変更処理ついて、具体的に図４及び図５を用いて説明する。
【００８２】
当該変更処理においては、先ず、管理端末ＰＯＳにおいて、例えば電話回線等の外部回線から表示変更のためのデータ送信されてくると、そのデータを受信し（ステップＳ１）、当該受信したデータに基づいて表示内容を変更すべき棚札Ｄが所在する店舗内の位置を示す位置情報及びその棚札Ｄ内のＩＣタグチップ２０に記憶されている識別情報を含んだ、当該棚札Ｄの表示内容を変更すべき旨の指示情報ＳorがアクセスポイントＡＰを介してリーダ／ライタＲＷに送信される（ステップＳ２）。
【００８３】
そして、当該指示情報Ｓorを無線通信部６０を介して受信した（ステップＳ１０）リーダ／ライタＲＷは、当該表示内容を変更すべき棚札Ｄの店舗内の位置を、上記受信した指示情報Ｓorに含まれていた位置情報に基づいて例えば図５（ａ）に例示するように表示する。図５（ａ）に示す例では、店舗内全体の陳列棚の配置と共に、表示内容を変更対象となっている棚札Ｄの位置が、位置表示ＰＰとして表示されている。なお、当該位置表示ＰＰを点滅表示１００のようにしてもよい。
【００８４】
次に、当該位置表示ＰＰが表示されているリーダ／ライタＲＷを携行する使用者は、当該リーダ／ライタＲＷを携行したまま当該表示を参考にしてその表示されている位置まで店舗内を移動し（ステップＳ１１）、その位置にある棚札Ｄとの間で当該棚札Ｄ内のＩＣタグチップ２０内から上記識別情報を呼び出す呼出情報Ｓirを棚札Ｄに伝送する（ステップＳ１２）。
【００８５】
これにより、棚札Ｄ内のＩＣタグチップ２０は、当該呼出情報Ｓirに対応して、記憶している識別情報を読み出して識別情報Ｓidとして送信し（ステップＳ２０）、更にその送信された識別情報がリーダ／ライタＲＷにおけるＩＣタグ通信部７０において受信される（ステップＳ１３）。
【００８６】
次に、リーダ／ライタＲＷは、管理端末ＰＯＳから送信されてきている識別情報（上記ステップＳ２及びＳ１０参照）と、棚札Ｄから送信されてきた識別情報（上記ステップＳ２０及びＳ１３参照）と、を比較し、その内容が一致しているか否かを確認する（ステップＳ１４）。
【００８７】
なお、この確認処理において、二つの識別情報が一致していないときは、使用者が表示内容を変更すべきでない棚札Ｄからその識別情報を読み取ったこととなるので、再度例えば図５（ａ）に示した店内地図をディスプレイ１に表示しつつ再度移動しなおすべき旨の表示等を併せて行って正しい棚札Ｄの位置に使用者を移動させることとなる。一方、ステップＳ１４の確認処理において双方の識別情報が一致していれば、現在正しい位置に使用者が移動したこととなるので、次に、その棚札Ｄの表示内容を書き換えるために必要な情報を要求する旨の要求情報Ｓrq（上記一致した識別情報Ｓidを含む）を管理端末ＰＯＳに対してアクセスポイントＡＰを介して送信する（ステップＳ１５）。
【００８８】
そして、当該要求情報Ｓrqを受信した（ステップＳ３）管理端末ＰＯＳは、再度表示内容の変更を要求した識別情報Ｓidについて、念のための確認（照合）を行い（ステップＳ４）、具体的な変更内容を含む変更情報Ｓcgを生成して再度リーダ／ライタＲＷに送信する（ステップＳ５）。このとき、当該具体的な変更内容としては、例えば、新しい価格を示す情報、セール対象とするか否かを示す情報（上記特定情報４３として表示される情報である）或いは新しい名称を示す情報等が含まれている。
【００８９】
なお、上記ステップＳ４の確認処理は、上記ステップＳ１４の確認処理がリーダ／ライタＲＷにおいて実行されることを条件として省略することもできる。また、ステップＳ４の確認処理において始めて識別情報間の齟齬が発見された場合には、管理端末ＰＯＳからリーダ／ライタＲＷに対して移動の指示が伝送されることになる。
【００９０】
次に、当該変更情報Ｓcgを受信した（ステップＳ１６）リーダ／ライタＲＷは、表示内容を変更すべき棚札Ｄにおける変更前後の表示内容をディスプレイ１に表示すると共に、当該変更情報Ｓcgに基づいて実際に棚札Ｄのディスプレイ４０における表示内容を変更するための表示変更情報Ｓrwを生成し、当該棚札Ｄ内のドライバ部３０を駆動するための電力となる駆動信号と共に棚札Ｄの通信部１０に出力する。ここで、当該ディスプレイ１に表示される内容としては、例えば図５（ｂ）に示すように、変更前の表示内容１０１と変更後の表示内容１０２とが、その対応関係が明確になる位置に当該変更を示す例えば矢印表示１０３と共に表示される。更にこのとき、図５（ｂ）に例示するように変更部分（図５（ｂ）の場合は価格の十の位）が明確となるように当該変更部分を他の表示と異なる表示態様とすることもできる。
【００９１】
そして、当該表示変更情報Ｓrwを受信した棚札Ｄにおいては、当該受信した表示変更情報Ｓrwに含まれていた駆動信号によりドライバ部３０を駆動することで、当該表示変更情報Ｓrwにより示される内容にディスプレイ４０における表示内容を変更し（ステップＳ２１）、その変更が完了したときに当該完了した旨の完了情報Ｓfを生成してリーダ／ライタＲＷに送信する（ステップＳ２２）。
【００９２】
これにより、当該完了情報Ｓfを受信したリーダ／ライタＲＷはこれを更に管理端末ＰＯＳに転送し（ステップＳ１８）、最終的に当該管理端末ＰＯＳが当該管理情報Ｓfを受信することで（ステップＳ６）、一連の表示状態の変更処理が終了する。
【００９３】
以上説明した実施形態に係る棚札表示の変更処理によれば、携帯型のリーダ／ライタＲＷを用いて棚札Ｄの表示状態を変更するので、各棚札Ｄの表示を変更するための恒常的な無線システムを構築する必要がなく、各商品Ｐの陳列位置に設けられた棚札Ｄにおける表示内容を簡易且つ安価なシステムで書き換えることができる。
【００９４】
また、無電力で表示状態を保持する表示媒体を用いた棚札Ｄにより各商品Ｐに対応する商品情報（価格等）を表示するので、商品管理システムＳ自体としての運用費用を大幅に削減することができる。
【００９５】
従って、商品陳列位置に配置されている棚札Ｄにおける対応商品の表示内容を管理する商品管理システムＳを、容易且つ安価に導入することができ、比較的小規模な店舗等であってもその取り扱う商品に対応する棚札Ｄの表示状態を簡易に管理することができる。
【００９６】
また、リーダ／ライタＲＷにおいて読み取られた識別情報と表示状態の変更対象とされている棚札Ｄを示す識別情報とが異なっているとき、当該異なる旨がリーダ／ライタＲＷにおいて告知されるので、当該リーダ／ライタＲＷを携帯する使用者は正しい棚札Ｄの位置まで移動してその表示状態を変更することができる。
【００９７】
更に、管理端末ＰＯＳからの指示情報Ｓorを用いて変更情報Ｓrwを生成し、更に当該変更情報Ｓrwを用いて棚札Ｄにおける表示状態を変更するので、各商品Ｐに対応する棚札Ｄの表示状態を管理端末ＰＯＳにおいて一元的に管理することができる。
【００９８】
更にまた、表示状態を変更すべき棚札Ｄの店舗内における所在位置がリーダ／ライタＲＷ上に表示されるので、当該リーダ／ライタＲＷの使用者において迷うことなく表示状態の変更が必要な棚札Ｄまで到達することができる。
【００９９】
また、リーダ／ライタＲＷにおいて読み取られた棚札Ｄの識別情報と管理端末ＰＯＳにおいて表示状態の変更対象とされている棚札Ｄを示す識別情報とが異なっているとき、当該異なる旨を示し且つ当該表示状態を変更すべき棚札Ｄを示す識別情報を含む修正指示情報がリーダ／ライタＲＷにおいて表示される（図５（ａ）参照）ので、当該リーダ／ライタＲＷを携帯する使用者は正しい棚札Ｄの位置まで移動してその表示状態を変更することができる。
【０１００】
更に、変更すべき表示状態における変更前後の当該表示状態の夫々が、相互に比較可能にリーダ／ライタＲＷ上において表示される（図５（ｂ）参照）ので、当該リーダ／ライタＲＷを携帯する使用者において変更の前後の状態を確認しつつ正しく表示状態を変更させることができる。
【０１０１】
また、実際に表示状態が変更される前に変更前後の表示状態がリーダ／ライタＲＷ上において表示されるので、確実に表示状態の変更を確認した後に実際の変更処理を行わせることができる。
【０１０２】
更に、同一周波数帯域の電磁波を用いて駆動信号を含む変更情報Ｓrwが送受信されるので、棚札Ｄ及びリーダ／ライタＲＷ夫々における当該送受信に係る構成を簡略化することができる。
【０１０３】
更にまた、商品情報内に対応する商品Ｐを示すバーコード情報４２が表示されるので、それを簡易に読み取って他の種々の処理に活用することができる。
【０１０４】
（II）変形形態
次に、本発明に係る変形形態について、図６及び図７を用いて説明する。
【０１０５】
なお、図６及び図７は変形形態に係るリーダ／ライタの概要構成を夫々示すブロック図である。なお、図６及び図７において、実施形態に係る棚札Ｄの構成部材と同一の部材については、同一の部材番号を付して細部の説明は省略する。
【０１０６】
先ず、第１の変形形態として、上述した第１実施形態においては、棚札Ｄの表示内容を変更する際の駆動源となる駆動信号及びその変更内容を具体的に示す変更情報Ｓrwを同一のＲＦ周波数帯域の電磁波を用いて送受信することとしたが、この場合に、図６（ａ）に示すように、両者を雑音少なく峻別するため、棚札Ｄ１内に通信部１０からの処理命令に応じて機能するＣＰＵ１１を別途設けてもよい。
【０１０７】
また、第２の変形形態として、図６（ｂ）に示すように、棚札Ｄの表示内容を変更する際の駆動源となる駆動信号と、その変更内容を具体的に示す変更情報Ｓrwと、を相互に異なるＲＦ周波数帯域の電磁波を用いて夫々送受信してもよい。この場合は棚札Ｄ２内に通信部１０（変更情報Ｓrw送受信専用）とは別の通信部１０Ａ（駆動信号送受信専用）を設けることとなる。
【０１０８】
この第２の変形形態によれば、異なる周波数帯域の電磁波を用いて駆動信号及び変更情報Ｓrwが送受信されるので、混信等の影響を考慮する必要がなく確実に当該駆動信号及び変更情報Ｓrwを送受信することができる。
【０１０９】
更に、第３の変形形態として、例えば図６（ａ）に例示したＣＰＵ１１の機能をＩＣタグチップ２０又はドライバ部３０のいずれか一方に含ませてもよい。この場合には、ＣＰＵ１１の機能が搭載されている、ＩＣタグチップ２０又はドライバ部３０のいずれか一方と他方とが電気的に接続されることになる。この構成によると、例えばＣＰＵ１１の機能がドライバ部３０に含まれている場合、ＩＣタグチップ２０へは当該ＣＰＵ１１として機能する部分から駆動信号及び変更情報Ｓrwが送信される。
【０１１０】
この第３の変形形態によれば、例えばＩＣタグチップ２０に対する駆動信号と変更情報Ｓrwの供給はＣＰＵ１１として機能する部分において行われるため、ＩＣタグチップ２０として外部と無線通信を行う必要がなく、ＩＣタグチップ２０として通常使用する周波数帯域以外の帯域を他の用途に使用することが可能となる。
【０１１１】
なお、上述してきた実施形態及び変形形態においては、管理端末ＰＯＳの間において情報の授受を行って棚札Ｄの表示を変更する場合について説明したが、これ以外に、店舗内にある清算書に配置されたレジスタ装置との間で情報の授受を行うことで、当該レジスタ装置から棚札Ｄの表示を変更する旨の指示情報を出すように構成することもできる。
【０１１２】
また、上述してきた実施形態及び変形形態に係る棚札Ｄにおいては、表示部４０における表示状態の変更に当たって変更情報Ｓcgのみでその変更が可能な場合について説明したが、本発明に係る表示部４０の特性として変更前の表示状態に対応する価格情報４１等を必要とする表示部４０を用いる場合には、当該価格情報４１等を含む商品情報をＩＣタグチップ２０に記憶させておいてもよい。
【０１１３】
更に、図４に示すフローチャートに対応するプログラムを、フレキシブルディスク又は固体半導体メモリ等の書き換え可能なリムーバブルメモリデバイスやハードディスク等の情報記録媒体に記録しておき、又はインターネット等を介して取得して記録しておき、これらを汎用のコンピュータで読み出して実行することにより、当該コンピュータを実施形態に係る管理端末ＰＯＳ、リーダ／ライタＲＷ内のＣＰＵ５０又は棚札Ｄ内のＩＣタグチップ２０として活用することも可能である。
【０１１４】
なお、これまで述べた本発明の効果以外に、派生的には以下の効果も得られる。すなわち、
ａ）棚札Ｄの表示更新が使用者（販売員）の目前で行われるため、変更内容をその場で確認できる。
ｂ）商品補充作業や在庫管理作業の際に表示内容の変更作業（及び確認作業）も同時に行うことができる。
ｃ）また、表示情報変更時に現物による在庫確認作業を行い、管理端末ＰＯＳ内のデータ又は商品販売情報管理データと照合することが可能となる。
ｄ）小規模店舗では、店舗面積も小さく取り扱い商品数自体が少ないため、変更すべき商品数や頻度も限定される。よって、使用者（販売員）が表示内容に変更が必要な商品陳列棚前で（書き換え）作業することにより、すばやく且つ確実に表示情報が変更可能になる。
ｅ）従来のＰＯＳシステムとの連携も容易に可能となる。
【産業上の利用可能性】
【０１１５】
以上夫々説明したように、本発明は店舗における商品管理の分野に利用することが可能であり、特に小規模店舗における商品管理の分野に適用すれば特に顕著な効果が得られる。
【図面の簡単な説明】
【０１１６】
【図１】実施形態に係る商品管理システムの概要構成を示す図である。
【図２】実施形態に係る商品管理システムに含まれる表示装置としての棚札の構成を示す図であり、（ａ）はその概要構成を示すブロック図であり、（ｂ）は表示例を示す図である。
【図３】実施形態に係る商品管理システムに含まれるリーダ／ライタの概要構成を示すブロック図である。
【図４】実施形態に係る棚札表示の変更処理を示すフローチャートである。
【図５】実施形態に係る棚札表示の変更処理の過程におけるリーダ／ライタ上の表示を例示する図であり、（ａ）は位置確認のための表示例であり、（ｂ）は変更内容確認のための表示例である。
【図６】変形形態に係る棚札の概要構成を示すブロック図であり、（ａ）は第１の変形形態に係る棚札の概要構成を示すブロック図であり、（ｂ）は第２の変形形態に係る棚札の概要構成を示すブロック図である。
【符号の説明】
【０１１７】
１    ディスプレイ
２    操作部
１０、１０Ａ    通信部
１１、５０    ＣＰＵ
２０    ＩＣタグチップ
３０    ドライバ部
４０    表示部
４１    価格情報
４２    バーコード情報
４３    特定情報
４４    名称情報
６０    無線通信部
７０    ＩＣタグ通信部
１００    点滅表示
Ｓ    商品管理システム
ＰＯＳ    管理端末
ＡＰ    アクセスポイント
ＲＷ    リーダ／ライタ
Ｄ、D１、D２    棚札
Ｐ    商品
Ｓ    陳列棚
Ｓpos    変更情報
Ｓif、Ｓtg    制御情報
Ｓdp    表示信号
Ｓlan    無線情報
Ｓic    タグ情報
Ｓop    操作信号
Ｓor    指示情報
ＰＰ    位置表示
Ｓir    呼出情報
Ｓid    識別情報
Ｓrq    要求情報
Ｓcg    変更情報
Ｓrw    表示変更情報
【図１】
2006340863.tif 000003
【図２】
2006340863.tif 000004
【図３】
2006340863.tif 000005
【図４】
2006340863.tif 000006
【図５】
2006340863.tif 000007
【図６】
2006340863.tif 000008